(57)【特許請求の範囲】
【請求項１】
基幹系伝送装置においてユーザーに提供する物理的な回線の帯域を設定するステップと、
前記設定された回線の帯域を流れるデジタル信号を管理、制御するモードとして、フィックスドモード及びオートマチックモードの一方を前記基幹系伝送装置に登録モードとして登録するステップと、
前記登録モードとして前記フィックスドモードを登録した場合は、管理、制御すべきデジタル信号を伝送速度別に固定的な管理、制御対象信号として前記基幹系伝送装置に登録するステップと、
前記登録モードが前記フィックスドモードである場合は、前記設定された回線の帯域を流れるデジタル信号が前記管理、制御対象信号である場合に所定の制御、管理を行い、前記設定された回線の帯域を流れるデジタル信号が前記管理、制御対象信号以外のデジタル信号である場合には異常信号として制御、管理を行うステップと、
前記登録モードがオートマチックモードである場合は、前記設定された回線に対して実際に入力された入力デジタル信号の伝送速度を自動的に認識して、前記入力デジタル信号の各々に対して前記所定の制御、管理を行うステップとを有することを特徴とする、基幹系伝送装置における回線帯域管理方法。
【請求項２】
請求項１に記載の基幹系伝送装置における回線帯域管理方法において、
前記基幹系伝送装置は、アッド・ドロップ・マルチプレクシング装置或いはクロス・コネクト装置であることを特徴とする、基幹系伝送装置における回線帯域管理方法。
【発明の詳細な説明】
【０００１】
【発明の属する技術分野】
本発明は、基幹系伝送装置における回線帯域管理方法に関するものである。
【０００２】
【従来の技術】
従来の基幹系伝送装置が扱う信号の管理、制御方式としては、回線を提供（貸出）するネットワーク管理者がその回線上の信号の帯域をあらかじめ認識し、その信号の帯域を管理、制御対象として基幹系伝送装置に設定することで、その信号を管理、制御できる方法であった。つまり、回線を提供するネットワーク管理者は、実際に回線を使用するユーザーがどのような信号の帯域で使用するかを認識し設定しないと、その信号の管理制御ができなかった。
【０００３】
【発明が解決しようとする課題】
しかし、インターネットを始めとする近年の爆発的な通信伝送容量の増加により、ネットワーク管理者には、様々なユーザーに対してそれぞれに合ったサービスの提供が求められる。またネットワーク管理者にも、上位、下位と一元的な管理ができない複雑な構造となってきている。回線のまた貸しのようなものがそれである。このようなネットワーク環境においてそれぞれの階層でのネットワーク管理者の要求に応じて、伝送装置の大容量、様々な信号処理、管理を可能とすることが求められている。
【０００４】
本発明の課題は、ネットワーク管理者が提供する回線の帯域によらず、回線ユーザーが使用する信号の帯域、使用方法に対応した管理、制御が可能となる、基幹系伝送装置における回線帯域管理方法を提供することにある。
【０００５】
本発明のもう一つの課題は、回線ユーザーが使用する信号の帯域、使用方法に対応した管理、制御が可能となり、かつ、ネットワーク管理者が提供する回線の帯域に対応した管理、制御も可能とした、基幹系伝送装置における回線帯域管理方法を提供することにある。
【０００６】
現在SDH（光同期伝送通信網）においても、信号の帯域は、50M、150M、600M、2.4G（ビット／秒）とほぼ固定的な信号の帯域（SDHで言うとハイオーダーパスのコンカチネーションレベルが決められている）で運用されているが、今後データ系の様々な帯域の信号に対応する時、既にITU-T(Telecommunication Standardization Sector of International Telecommunication Union)では提唱されているヴァーチャルコンカチネーションの信号を考慮し、管理しなければなければならないのはそう遠くない時期であろう。
【０００７】
なお、信号の帯域に関して、例えば、150Mとは、1秒間に150メガビットの伝送速度のデジタル信号をいい、600Mとは、1秒間に600メガビットの伝送速度のデジタル信号をいい、2.4Gとは、1秒間に2.4ギガビットの伝送速度のデジタル信号をいう。
【０００８】
また、コンカチネーションに関して、SDH（基幹系同期ハイアラーキー）信号だと、150Mの帯域をベースに600M、2.4G、10Gの信号が定義されており、これら150M、600M、2.4G、10G（ビット／秒）の信号のつながりをコンカチネーション信号と言う。
【０００９】
そのように信号帯域が複雑になっていく今後において、ネットワーク管理者が多様なパス管理、回線提供を行うことを可能にする、本発明が提供する、以下に述べる回線帯域管理方法は、今後必ず有用になる。
【００１０】
【課題を解決するための手段】
すなわち、本発明によれば、
基幹系伝送装置においてユーザーに提供する物理的な回線の帯域を設定するステップと、
前記設定された回線の帯域を流れるデジタル信号を管理、制御するモードとして、フィックスドモード及びオートマチックモードの一方を前記基幹系伝送装置に登録モードとして登録するステップと、
前記登録モードとして前記フィックスドモードを登録した場合は、管理、制御すべきデジタル信号を伝送速度別に固定的な管理、制御対象信号として前記基幹系伝送装置に登録するステップと、
前記登録モードが前記フィックスドモードである場合は、前記設定された回線の帯域を流れるデジタル信号が前記管理、制御対象信号である場合に所定の制御、管理を行い、前記設定された回線の帯域を流れるデジタル信号が前記管理、制御対象信号以外のデジタル信号である場合には異常信号として制御、管理を行うステップと、
前記登録モードがオートマチックモードである場合は、前記設定された回線に対して実際に入力された入力デジタル信号の伝送速度を自動的に認識して、前記入力デジタル信号の各々に対して前記所定の制御、管理を行うステップとを有することを特徴とする、基幹系伝送装置における回線帯域管理方法が得られる。
【００１３】
大容量化、多様化する通信ネットワークにおいてユーザーが使用する信号の帯域は様々であり、その使用方法、管理方法も様々である。よってユーザーにサービスを提供するネットワーク管理者も多様化するユーザーに対して多様なサービスの提供を模索している。そのなかで基幹系伝送装置においても登録する回線帯域とサービスを提供する信号帯域の関係に対して一意的な設定方式で制御されるのではなく、本発明に基づいて、ネットワーク管理者の設定による回線の帯域での信号の動作モードと、ユーザーにゆだねた信号の動作モードを持つことにより、多様なユーザーに対して、ユーザーが求める多様なサービスの提供が可能となる。サービス多様性は、ユーザーの差別化を実現できる。
【００１４】
【発明の実施の形態】
次に本発明の実施例について図面を参照して説明する。
【００１５】
本発明の一実施例による、基幹系伝送装置における回線帯域管理方法においては、まず、通信ネットワーク管理者は、基幹系伝送装置においてユーザーに提供する物理的な回線の帯域を設定する（具体的には、地点間のクロスコネクト設定によって回線帯域を確保することにより、物理的な回線帯域の設定を行う）。
【００１６】
更に、本発明の一実施例による前記回線帯域管理方法においては、その回線帯域を設定する際に、その帯域を流れる信号を、どのように管理、制御するか（すなわち、以下に述べるフィックスドモードで制御するか、以下に述べるオートマチックモードで制御するか）を、あわせて登録する。
【００１７】
ここで、フィックスドモードとは、その回線の帯域内をユーザーが要求する固定的な信号として使用し、管理、制御することを目的としたモードであり、オートマチックモードとは、その回線の帯域内をユーザーが自由に使用でき、変化する信号に対応して管理、制御を行うモードである。
【００１８】
つまり、フィックスドモードに設定された回線には、その回線帯域でサポートする信号を事前に登録し、この登録された信号が管理、制御対象となる。オートマチックモードに設定された回線帯域では、実信号にあわせた管理、制御を行う事を可能とする。
【００１９】
図１は、本発明の説明に使用する図であり、基幹系伝送装置のクロスコネクト機能を使用したネットワーク管理者が、回線提供を行うモデルを示している。
【００２０】
それぞれの地点X、Y、Zの基幹系伝送装置には複数の地点からいくつかの信号が入力されている。図１では、通信ネットワーク管理者があるユーザーに提供する固定的な回線を、「回線A」として示す。回線Aは、提供を行う信号がX地点から入力され、Y地点を通ってZ地点で出力されるモデルである。ここで示す基幹系伝送装置は、代表的には、アッド・ドロップ・マルチプレクシング装置(Add/Drop Multiplexing (ADM) Equipment)、ローカル・クロス・コネクト(Local Cross Connect(LXC)装置である。
【００２１】
ここで回線Aの伝送路の回線帯域を600Mbit/secの通信速度とする。
【００２２】
次に、信号管理、制御モードとして、フィックスドモード及びオートマチックモードを設定した回線Aでの動作をそれぞれ説明する。
【００２３】
本発明で提案する信号管理、制御は、固定的に用意した回線においてサポートする信号帯域を固定的に使用する場合の回線フィックスドモードと、固定的に用意した回線においてサポートする信号は入力される信号に委ねてその回線内を自由に使用する回線オートマチックモードの2つの方式を用意する。
【００２４】
まずは回線Aをフィックスドモードに登録した場合の説明を行う。
【００２５】
フィックスドモードは、予め本装置で扱う信号の種別を登録する必要がある。ここでは600M帯域の内150Mの信号4本で登録したとする。その時のX地点での信号イメージを図２で示す。
【００２６】
ここで、フィックスドモードでは管理すべき信号を、管理、制御対象信号#1、#2、#3、#4として登録し、信号#1、#2、#3、#4に対して制御、アラーム管理、伝送品質管理を固定的な管理対象として行う。フィックスドモードは回線を管理すると言うより、登録された信号を管理する（信号提供サービス）と考えられる。
【００２７】
図２で示した回線において登録以外の信号が入力された時、異常信号として管理、制御を行う。
【００２８】
図３及び図４に、図２で示した回線設定時に一部、あるいは全ての信号に関して登録以外の信号が入力された場合のイメージ図を示す。
【００２９】
次に固定的に提供される回線Aに対してオートマチックモードで登録された場合の説明を行う。
【００３０】
オートマチックモードでは、回線Aの帯域に対して実際入力される信号の伝送速度を自動的に認識して管理、制御を行う方式である。オートマチックモードは回線の帯域そのものを提供し信号を管理する（回線提供サービス）と考えられる。
【００３１】
例えば600M帯域に150Mの信号4本が伝送装置に入力された場合のその信号を管理、制御イメージを図５に示す。また、その帯域に150Mの信号2本、50Mの信号6本が伝送装置に入力された場合の管理、制御イメージを図６に示し、600Mの信号が伝送装置に入力された場合の管理、制御イメージを図７に示す。
【００３２】
ここでオートマチックモードでは、管理、制御対象信号#1、#2、#3、…、を入力される信号にあわせて、入力信号そのものに対して制御、アラーム管理、伝送品質管理を行う。
【００３３】
【発明の効果】
本発明の方法を実施することにより、ネットワーク管理者は、一画的なサービス形態で回線を提供するのではなく、実際ユーザーの使用する信号帯域に応じた運用を実現できる。
【００３４】
例えば、N通信会社が通信ネットワーク管理しユーザーに回線を提供しているとしよう。回線ユーザーAは、600M帯域の信号をX地点からY地点への回線使用を希望している。このときユーザーAは固定的に150M帯域の信号を4本として使用すれば、N通信会社は固定的に150Mの信号帯域4本の制御、管理のサービスを提供する。
【００３５】
しかし、回線ユーザーBは、600M帯域の信号をX地点からY地点への回線使用を希望しているが、ユーザーBは600Mの帯域をフレキシブルに使用することを望んでいる。例えば、ユーザーBが更にこの600M帯域の回線を他のユーザーに貸出す場合は、N通信会社はその貸出先がユーザーとして認識するわけでなく、ユーザーBがあくまでもユーザーなので600M信号の回線帯域として管理、制御することになろう。この場合、N通信会社は回線帯域として実際の信号帯域にあわせて、または関係なくそれらの信号の制御、管理のサービスを提供することができる。
【００３６】
上記の例で示したユーザーA、ユーザーBに対してN通信会社は、本発明で提案する回線管理方法、それぞれフィックスドモード、オートマチックモードで回線サービスが可能となる。
【００３７】
結果、回線を提供する通信会社は、実際の回線ユーザーに対してその回線での信号形態に応じた多様なサービスの提供をすることができる。
【００３８】
また、この発明で実現する多様なサービスによって通信会社は、新しい料金体系を提供できる。フィックスドモードだと固定的なパス管理サービスとして、オートマチックモードでも自動的に変化する信号レベルまでの管理サービスと固定的に接続された回線帯域としての管理制御、つまり信号の管理は行わないサービスの提供ができる。
【図面の簡単な説明】
【図１】本発明の説明に使用する図であり、基幹系伝送装置のクロスコネクト機能を使用した回線提供のモデルを示すブロック図である。
【図２】本発明の説明に使用する図であり、600M信号帯域での150M信号4本で設定したフィックスドモードにおいて150M信号4本が入力された回線モデルを示す図である。
【図３】本発明の説明に使用する図であり、600M信号帯域での150M信号4本で設定したフィックスドモードにおいて150M信号2本、50M信号6本が入力された回線モデルを示す図である。
【図４】本発明の説明に使用する図であり、600M信号帯域での150M信号4本で設定したフィックスドモードにおいて600M信号1本が入力された回線モデルを示す図である。
【図５】本発明の説明に使用する図であり、600M信号帯域でのオートマチックモードにおいて150M信号4本が入力された回線モデルを示す図である。
【図６】本発明の説明に使用する図であり、600M信号帯域でのオートマチックモードにおいて150M信号2本、50M信号6本が入力された回線モデルを示す図である。
【図７】本発明の説明に使用する図であり、600M信号帯域でのオートマチックモードにおいて600M信号1本が入力された回線モデルを示す図である。
【符号の説明】
A    回線
X    地点
Y    地点
Z    地点
【図１】
0003921357.tif 000002
【図２】
0003921357.tif 000003
【図３】
0003921357.tif 000004
【図４】
0003921357.tif 000005
【図５】
0003921357.tif 000006
【図６】
0003921357.tif 000007
【図７】
0003921357.tif 000008